(57)【要約】【課題】筐体の傾き角度の情報を出力する携帯型情報端末を提供する。【解決手段】２軸ヒンジを介して、折り畳みによる開閉と下側ユニットに対する上側ユニットの回動とが可能である。開閉角度と回動角度は開閉検出部１３と回転角度検出部１４により検出される。検出された角度の情報は、表示部９に画像で表示される。また、検出された角度に従い各種機能（発信の電話番号の選択、着信音の種類の選択、着信音量の設定、画面の明るさ、ズーム倍率、警告の報知）が制御される。【選択図】図１
2007129317.tif 000002
【特許請求の範囲】
【請求項１】
表示部を有する筐体と、
前記筐体の姿勢の標準状態に対する変位を検出するための姿勢変位検出部と、
前記姿勢変位検出部により検出された前記変位を前記表示部に表示する変位表示手段とを備える、携帯型情報端末。
【請求項２】
前記変位表示手段は、
前記表示部に、前記変位のためのスケールバーと、検出された前記変位の情報を前記スケールバー上において表示することを特徴とする、請求項１に記載の携帯型情報端末。
【請求項３】
前記姿勢変位検出手段は、
前記筐体の姿勢の標準状態に対する傾きの角度を、前記変位として検出するための角度検出部を有する、請求項１に記載の携帯型情報端末。
【請求項４】
前記筐体は、前記表示部を有する第１筐体と、第２筐体とを有し、
前記携帯型情報端末は、前記第１筐体と前記第２筐体を回転自在に接合するためのヒンジ部をさらに備えて、
前記姿勢変位検出部は、前記第１筐体の前記第２筐体に対する前記ヒンジ部を介した相対姿勢の、前記標準状態に対する変位を検出することを特徴とする、請求項１に記載の携帯型情報端末。
【請求項５】
前記携帯情報端末が有する機能を、検出され前記変位に従い制御することを特徴とする、請求項１に記載の携帯型情報端末。
【請求項６】
前記姿勢変位検出部により検出された前記変位に対応して予め登録された電話番号を用いて発信する発信手段をさらに備える、請求項１に記載の携帯型情報端末。
【請求項７】
前記姿勢変位検出部により検出された前記変位に対応して予め登録された着信音を出力する着信音出力手段をさらに備える、請求項１に記載の携帯型情報端末。
【請求項８】
前記姿勢変位検出部により検出された前記変位に従う音量で着信音を出力する着信音出力手段をさらに備える、請求項１に記載の携帯型情報端末。
【請求項９】
ズーム部を有し、被写体を撮影した画像を前記ズーム部で拡大して出力するカメラと、
前記姿勢変位検出部により検出された前記変位に従い、前記ズーム部の拡大の倍率を決定することを特徴とする、請求項１に記載の携帯型情報端末。
【請求項１０】
前記ズーム部は、光学レンズによる光学ズーム部と、前記画像のデータを処理するズーム処理部とを有する、請求項９に記載の携帯型情報端末。
【請求項１１】
前記表示部の画面の明度を、前記姿勢変位検出部により検出された前記変位に従い決定することを特徴とする、請求項１に記載の携帯型情報端末。
【請求項１２】
前記姿勢変位検出部により検出された前記変位が、所定範囲の変位を超えるときには、警告を報知することを特徴とする、請求項１に記載の携帯型情報端末。
【請求項１３】
前記ヒンジ部は、直交する２本の軸のそれぞれに平行の第１および第２のヒンジを含み、
前記第１のヒンジを介して前記第２筐体に対して前記第１筐体が開閉自在に接続されて、前記第２のヒンジを介して前記第１筐体に対して前記第２ヒンジが回動自在に接続されて、
前記角度は、前記開閉の角度および前記回動の角度を含む、請求項４に記載の携帯型情報端末。
【発明の詳細な説明】
【技術分野】
【０００１】
本発明は、携帯型情報端末に関し、特に、端末自体の傾きを検出する機能を有する携帯型情報端末に関する。
【背景技術】
【０００２】
従来、折り畳み型携帯情報端末、特に折り畳み型携帯電話端末においては、ストレートタイプよりもコンパクトに収納することが可能であり、また操作部のキー操作が誤って行なわれることがないとの利点がある。
【０００３】
また、携帯電話端末では、単に電話機としての通話機能のみでなく、インターネット等のブラウザ、電子メール送受信機能、スケジュール管理機能などの各種の機能を備える。これら機能により文字や画像などの多量の情報が表示されるので、表示情報を確認しやすい大きいサイズの表示画面を有するものが好まれている。この点に関しても、１個の筐体の主面に操作部と表示部とが搭載されたストレートタイプよりも、複数筐体のうちの１つの筐体の主面全面を表示画面専用とすることが可能な折り畳み型携帯電話端末の方が有利である。このようなメリットを重視するユーザは、ストレートタイプよりも折り畳み型携帯電話端末を好む。
【０００４】
しかしながら、折り畳み型携帯電話端末では、筐体どうしの開閉操作が煩わしい、表示画面は筐体の形状ゆえに縦長となる場合には表示に関する制約（横一行の表示文字数、横長の画像の表示における制約）、デザイン（意匠）上の制約などがある。
【０００５】
これらの制約を解決するため、折り畳み型携帯電話端末では、筐体どうしを開閉するのみならず、開いた状態で一方の筐体に対して他方の筐体を回動自在に結合するものも提案されている。たとえば、この種の折り畳み型携帯電話端末については、特許文献１〜４に開示されている。
【特許文献１】特開２００３−２５８９７９号公報
【特許文献２】特開２００４−１２０５１３号公報
【特許文献３】特開２００４−１４０４３４号公報
【特許文献４】特開２００４−１６５８２６号公報
【発明の開示】
【発明が解決しようとする課題】
【０００６】
特許文献１〜４に開示の折り畳み型携帯電話端末では、筐体どうしが開閉状態または、開状態における一方の筐体に対する他方の筐体の回動状態を検出して、開閉または回動の角度の検出結果に基づきアプリケーションプログラム（応答の保留、動作モード切替、カメラの動作切替、アンテナの切替）を制御する機能を有する。しかしながら、ユーザには開閉角度または回動角度についての変位情報が示されないために、どの程度の角度で所望モードに切替えることができるかは、開閉操作または回動操作を繰返しながら試行錯誤のうちに見つけ出すしかないので、操作性に優れない。
【０００７】
それゆえに、本発明の目的は、筐体の傾き角度の情報を出力する携帯型情報端末を提供することである。
【課題を解決するための手段】
【０００８】
この発明のある局面に従うと、携帯型情報端末は、表示部を有する筐体と、筐体の姿勢の標準状態に対する変位を検出するための姿勢変位検出部と、姿勢変位検出部により検出された変位を表示部に表示する変位表示手段とを備える。
【０００９】
したがって、携帯型情報端末の筐体の姿勢の変位が検出されて、筐体の表示部の表示されるので、ユーザは携帯する情報端末の姿勢の変位を視覚的に確認することができる。
【００１０】
好ましくは、変位表示手段は、表示部に、変位のためのスケールバーと、検出された変位の情報をスケールバー上において表示する。したがって、姿勢の変位を尺度を用いて表示することができる。
【００１１】
好ましくは、姿勢変位検出手段は、筐体の姿勢の標準状態に対する傾きの角度を、変位として検出するための角度検出部を有する。
【００１２】
したがって、携帯する情報端末の姿勢の変位を、姿勢の標準状態からの筐体の傾き角度の変化として、具体的に表示することができる。
【００１３】
好ましくは、筐体は、表示部を有する第１筐体と、第２筐体とを有し、携帯型情報端末は、第１筐体と第２筐体を回転自在に接合するためのヒンジ部をさらに備えて、姿勢変位検出部は、第１筐体の第２筐体に対するヒンジ部を介した相対姿勢の、標準状態に対する変位を検出する。
【００１４】
したがって、携帯する情報端末が第１筐体および第２筐体を含む複数の筐体がヒンジ部を介して回転自在に接続されて構成される場合には、第１筐体の第２筐体に対するヒンジ部を介した相対姿勢の、標準状態に対する変位を検出して表示することができる。
【００１５】
好ましくは、携帯情報端末に搭載された機能を、検出され変位に従い制御する。
好ましくは、姿勢変位検出部により検出された変位に対応して予め登録された電話番号を用いて発信する発信手段をさらに備える。したがって、ユーザは携帯する情報端末の筐体の傾きを変化させて、所望する姿勢とすれば、当該姿勢の標準状態からの変位に対応の電話番号の相手に発信することができる。
【００１６】
好ましくは、姿勢変位検出部により検出された変位に対応して予め登録された着信音を出力する着信音出力手段をさらに備える。したがって、ユーザは携帯する情報端末の筐体の傾きを変化させて、所望する姿勢とすれば、着信があった場合には、当該姿勢の標準状態からの変位に対応する種別の着信音を出力させることができる。
【００１７】
好ましくは、姿勢変位検出部により検出された変位に従う音量で着信音を出力する着信音出力手段をさらに備える。
【００１８】
したがって、着信音量を、携帯する情報端末の姿勢の変位に連動して変化させることができる。
【００１９】
好ましくは、ズーム部を有して被写体を撮影した画像をズーム部で拡大して出力するカメラと、姿勢変位検出部により検出された変位に従い、ズーム部の拡大の倍率を決定する。
【００２０】
したがって、情報端末が備えるカメラが撮影する被写体像の拡大（ズームイン）または縮小（ズームアウト）の倍率を、情報端末の姿勢の変位に連動して変化させることができる。
【００２１】
好ましくは、ズーム部は、光学レンズによる光学ズーム部と、画像のデータを処理するズーム処理部とを有する。
【００２２】
したがって、カメラが撮影する被写体像の拡大（ズームイン）または縮小（ズームアウト）の倍率を、光学レンズを用いて、または画像データの処理を用いて、または両方を用いて、調整することができる。
【００２３】
好ましくは、表示部の画面の明度を、姿勢変位検出部により検出された変位に従い決定する。したがって、携帯する情報端末の画面の明るさを、情報端末の姿勢の変位に連動して変化させることができる。
【００２４】
好ましくは、姿勢変位検出部により検出された変位が、所定範囲の変位を超えるときには、警告を報知する。
【００２５】
したがって、ユーザが携帯する情報端末の姿勢を操作して、その変位が所定範囲を超えるほどにまで大きくなると、過度の変位による外的な負荷が、情報端末自体に加わり損傷するおそれがある。このように変位が所定範囲を超える場合には、ユーザに警告が報知されるて過度の変位となるような操作を抑止することができて、情報端末自体が損傷するのを防止できる。
【００２６】
好ましくは、ヒンジ部は、直交する２本の軸のそれぞれに平行の第１および第２のヒンジを含み、第１のヒンジを介して第２の筐体に対して第１の筐体が開閉自在に接続されて、第２のヒンジを介して第１の筐体に対して第２のヒンジが回動自在に接続されて、角度は、開閉の角度および回動の角度を含む。
【００２７】
したがって、携帯する情報端末が第１筐体および第２筐体を含む複数の筐体がヒンジ部を介して回転自在に接続されて構成される場合には、第１筐体の第２筐体に対する開閉の角度と回動の角度とを検出して表示することができる。
【発明の効果】
【００２８】
発明によれば、携帯型情報端末の筐体の姿勢の変位が検出されて、筐体の表示部の表示されるので、ユーザは携帯する情報端末の姿勢の変位を視覚的に確認することができる。
【００２９】
また、携帯情報端末に搭載された機能を、検出され変位に従い制御することができる。
【発明を実施するための最良の形態】
【００３０】
以下、本発明の各実施の形態について図面を参照して説明する。
各実施の形態では、携帯情報端末の一例として携帯型電話端末（以下、携帯電話という）を示しているが、これに限定されない。たとえば、ＰＤＡ（personal digital assistant）、ノート型パーソナルコンピュータなどであってもよい。
【００３１】
図１を参照して携帯電話１００は、通信のためのアンテナ１および通信部２、外部から操作して各種情報を入力するための操作部３、外部から着脱自在に装着される記憶媒体４、携帯電話１００の各種機能を制御するための制御部５、音を出力するためのスピーカ６および６Ａ、マイク７、被写体を撮像するためのデジタルカメラ（以下、カメラという）８、情報を外部に表示するための表示部９および各種情報を記憶するための設定情報記憶部１０を備える。マイク７とスピーカ６は通話のための音声の入出力に用いられて、スピーカ６Ａは、着信などを報じるための音の出力に用いられる。
【００３２】
制御部５は、通話や電子メールの着信を制御する着信制御部１１、通話や電子メールなどの送信を制御する発信制御部１２、開閉検出部１３、回転角度検出部１４、着信などの各種情報を外部に報じるための報知制御部１５、表示部９に情報を表示するための表示制御部１６、カメラ８を制御するためのカメラ制御部１７、携帯電話１００の動作モードを判定するための動作モード判定部１８、電話番号設定部１９、着信音設定部２０、表示部９の明度（明るさ）を制御するための明度制御部２１、カメラ８のズーム機能を制御するためのズーム制御部２２および警告制御部２３を有する。制御部５は携帯電話１００に搭載されたコンピュータのＯＳ（オペレーティングシステム）と、当該ＯＳを利用して実行されるアプリケーションプログラムからなり、制御部５の各部は当該アプリケーションプログラムとして予め準備されて、プログラムが実行されることで対応の各部の機能が実現されている。
【００３３】
図２を参照して、携帯電話１００は、制御部５に対応のＣＰＵ（Central Processing Unit）６０、ＲＯＭ（Read Only Memory）６２およびＲＡＭ（Random Access Memory）６３からなるメモリ６１、表示部９に対応のＬＣＤ（Liquid Crystal Display）６４、外部から記憶媒体４が着脱自在に装着されて、装着された記憶媒体４をＣＰＵ６０の制御の下にアクセスしてデータの読み書きをするための記憶媒体駆動部６５、開閉センサ６７および回転センサ６８を備える。ＬＣＤ６４は、バックライトコントローラ６９を有する。バックライトコントローラ６９はＬＣＤ６４が有する図示のないバックライトから照射される光による画面の明るさを、明度制御部２１からの制御の下に調整する。カメラ８は、レンズ部６６を有する。設定情報記憶部１０はメモリ６１に対応する。また、制御部５内の各部に対応の各種プログラムはメモリ６１に格納されており、ＣＰＵ６０が当該プログラムを読出し実行することにより、各部の機能が実現される。
【００３４】
図３（Ａ）〜（Ｅ）には、携帯電話１００の外観が、筐体どうしの開閉状態および回動状態と関連して示されている。図示されるように携帯電話１００は２つの筐体からなり、操作部３を有する一方の筐体である下側ユニット１０１、表示部９に対応のＬＣＤ６４を有する他方の筐体である上側ユニット１０２、下側ユニット１０１と上側ユニット１０２を回動および回転自在に結合するための可動接合部材（スイベルヒンジ部）である２軸ヒンジから構成される。２軸ヒンジは、図中のＸ軸方向に並行して設けられたヒンジ１０５ａと、Ｘ軸に直交するＹ軸方向に並行して設けられたヒンジ１０５ｂからなる。
【００３５】
下側ユニット１０１および上側ユニット１０２は所定厚みで略同じ大きさの扁平な長方形状（略直方体形状）を有しており２軸ヒンジ（ヒンジ１０５ａおよび１０５ｂからなるヒンジ）を介して機構的に結合され、上側ユニット１０２が２軸ヒンジを中心にして下側ユニット１０１に対して回転・回動自在な構造となっている。また、下側ユニット１０１および上側ユニット１０２は、２軸ヒンジの部分を経由して適宜の接続のための配線によって電気的に接続されている。
【００３６】
図３（Ａ）〜（Ｅ）に示すように、携帯電話１００は上側ユニット１０２および下側ユニット１０１がそれぞれの基端部において、独立して回動可能な直交する２つの回動軸（Ｘ軸およびＹ軸）を含んで構成される２軸ヒンジ（ヒンジ１０５ａおよび１０５ｂ）によって結合された構造となっている。
【００３７】
下側ユニット１０１の片面（操作面）には携帯電話１００の有する機能を利用するために複数のキーを有する操作部３が配設される。さらに同じ操作面の端部には、マイク７のための開口部が設けられている。
【００３８】
上側ユニット１０２の片面（表示面）には略矩形をしたＬＣＤ６４の画面が縦長に配設されている。表示面の背面にはカメラ８のレンズ部６６と、スピーカ６Ａが配設される。また、表示面の端部には、スピーカ６が配設される。
【００３９】
下側ユニット１０１に対して上側ユニット１０２は、矢印１２３方向に従い回転するヒンジ１０５ａを介して開閉自在である。図３（Ｅ）は図３（Ａ）の状態から上側ユニット１０２をヒンジ１０５ａを介して１８０度だけ下側ユニット１０１方向に閉じた状態（折畳まれた状態ともいう）を指す。図３（Ｅ）の閉じた状態では、上側ユニット１０２の表示面は下側ユニット１０１の操作面と向合わせになっている。図３（Ｅ）の状態から、上側ユニット１０２を下側ユニット１０１に対して開く操作をすることで、たとえば、図３（Ｂ）のように開いた状態となる。開いた状態とは、図３（Ｅ）の折り畳まれた状態以外の状態をさす。
【００４０】
また、折畳まれた状態以外であるときには、上側ユニット１０２は、下側ユニット１０１に対して、たとえば図３（Ｃ）に示されるように、矢印１２２方向に回転するヒンジ１０５ｂを介して回動可能である。図３（Ｄ）は、図３（Ａ）の状態から矢印１２２の時計回りに１８０度だけ上側ユニット１０２がヒンジ１０５ｂを介して回動して、操作面と平行な面は、ＬＣＤ６４の表示面から上側ユニット１０２の背面（ＬＣＤ６４とは反対の面）に切り替わる。当該背面にはレンズ部６６とスピーカ６Ａが設けられる。
【００４１】
図３（Ｄ）の開いた状態から、上側ユニット１０２をヒンジ１０５ａを介して下側ユニット１０１の操作面方向に１８０度動かすと、閉じた状態となる。この場合には、図３（Ｅ）とは異なり、表示面が外部に露出して、操作面と表示面の背面とが合わされた状態となる。
【００４２】
操作部３は図３（Ａ）に示されるように、携帯電話１００の動作モードを切換えるために操作されるモードキー３５、携帯電話１００の電源のＯＮ／ＯＦＦを指示するために操作される電源キー３６、発信を指示するために操作される発信キー３７を有する。さらに、操作入力部３は図示されないが、英字／かな／漢字／数字を入力するためのキー、ＬＣＤ６４に表示されるカーソル操作を行なうための上下左右／確定キー、操作を終了させるための終了キー、などを含む。
【００４３】
携帯電話１００は、下側ユニット１０１と上側ユニット１０２が２軸ヒンジを介して開閉・回動操作されることにより、さまざまな相互の位置関係（相対姿勢）をとることができる。本実施の形態では、上側ユニット１０２がヒンジ１０５ａを介して回動することによる上側ユニット１０２と下側ユニット１０１とが為す角度αが示す開閉角度を検出するために、上側ユニット１０２に設けられたマグネット（永久磁石）２９およびマグネット２９からの磁気を検出するための下側ユニット１０１に磁気センサ３２を備える。また、上側ユニット１０２がヒンジ１０５ｂを介して回動することによる上側ユニット１０２と下側ユニット１０１とが為す角度βが示す回動の角度を検出するために、上側ユニット１０２の下側ユニット１０１方向の端部にはマグネット３０および３１が設けられ、下側ユニット１０１の上側ユニット１０２方向の端部には、マグネット３０および３１それぞれの磁気を検出するための磁気センサ３３および３４を備える。
【００４４】
マグネット２９および磁気センサ３２により開閉センサ６７が構成され、マグネット３０および３１ならびに磁気センサ３３および３４により回転センサ６８が構成される。磁気センサ３２はマグネット２９の磁気レベルを検出して、検出した磁気レベルに応じたレベルの電圧信号をＣＰＵ６０に出力する。また、磁気センサ３３および３４のマグネット３０および３１から検出した磁気レベルに応じたレベルの電圧信号をＣＰＵ６０に出力する。
【００４５】
ＣＰＵ６０は、磁気センサから与えられる電圧信号のレベルに基づき、ヒンジ１０５ａを介した開閉角度およびヒンジ１０５ｂを介した回動角度を検出する。開閉角度および回動角度の検出は、開閉検出部１３および回転角度検出部１４によりなされる。開閉検出部１３は、磁気センサ３２から与えられた電圧信号が示す電圧レベルに基づき、所定の計算式に従い開閉角度を算出する。または、予め準備された磁気センサ３２の出力する電圧信号のレベルと開閉角度とが関連付けされて登録されたテーブルを有し、当該テーブルを、磁気センサ３２から与えられた電圧信号が示す電圧レベルに基づき検索することで、関連付けされた開閉角度を読出す。同様に、回転角度検出部１４は、磁気センサ３３および３４から与えられた電圧信号のレベルを用いて所定の計算式に従い回動角度を算出する。または、磁気センサ３３および３４から与えられた電圧信号のレベルと回動角度とが関連付けされて登録されたテーブルを有し、当該テーブルを、磁気センサ３３および３４から与えられた電圧信号が示す電圧レベルに基づき検索することで、関連付けされた回動角度を読出す。
【００４６】
ここでは、図３（Ａ）のように下側ユニット１０１に対して上側ユニット１０２のＬＣＤ６４の表示面が最大角度となるように開いた状態を標準状態とする。標準状態では、上側ユニット１０２と下側ユニット１０１との相対姿勢において、開閉角度は０度および回動角度は０度とする。
【００４７】
図３（Ｂ）は図３（Ａ）の状態から上側ユニット１０２を下側ユニット１０１に対して開閉方向へ６０度閉じた状態を示している。本実施の形態では、図４に示されるように上側ユニット１０２を下側ユニット１０１に対して標準状態（開閉角度０度）から、閉じた状態の１８０度まで角度調整することができる。
【００４８】
図３（Ｃ）は図３（Ｂ）の状態から上側ユニット１０２を下側ユニット１０１に対して回動方向へ３０度回転させた状態を示している。
【００４９】
図３（Ｄ）は、上側ユニット１０２を下側ユニット１０１に対して図３（Ａ）の標準状態から回動方向へ１８０度回転させた状態を示す。図３（Ａ）の標準状態から、上側ユニット１０２を下側ユニット１０１に対して開閉方向へ１８０度閉じると図３（Ｅ）の状態となる。
【００５０】
各実施の形態では、携帯電話１００は、標準状態からの相対姿勢の変位（傾きの角度）を検出して、検出した筐体の傾きの角度（相対姿勢の変位）を、表示部に表示するとともに、傾き角度（相対姿勢の変位）に対応した電話番号を用いた発信、傾き角度（相対姿勢の変位）に対応した着信音の報知、傾き角度（相対姿勢の変位）に対応したズーム倍率によるズーム機能の制御、傾き角度（相対姿勢の変位）に対応したバックライトの明るさ調整、着信音の調整などが行なわれる。
【００５１】
図１に戻り、着信制御部１１は、上側ユニット１０２の開閉操作・回動操作に対応した着信音の制御動作を可能としている。発信制御部１２は上側ユニット１０２の開閉操作・回動操作に対応した発信制御動作を可能としている。明度制御部２１は、上側ユニット１０２の開閉操作・回動操作に対応したＬＣＤ６４のバックライトの明るさ制御を可能としている。ズーム制御部２２は、上側ユニット１０２の開閉操作・回動操作に対応したカメラ８のズーム制御動作を可能としている。警告制御部２３、上側ユニット１０２の開閉操作・回動操作に対応した警告の報知動作を可能としている。
【００５２】
動作モード判定部１８は、携帯電話１００の動作モード（通話モード、撮影モード、コンテンツ再生モード、電話番号設定モード、着信音設定モード、着信音量設定モード、バックライト調整モード）を判別する。表示制御部１６は表示部９における、電子メールなどの通信により送受信される情報の表示の制御をするとともに、回転角度検出部１４および開閉検出部１３の検出結果を反映させた情報の表示を制御する。
【００５３】
図５には、設定情報記憶部１０の内容例が示される。設定情報記憶部１０には、電話番号テーブル７１、着信音テーブル７２、携帯電話１００についての着信音量のデフォルトを示すための着信音量デフォルトデータ７３、ＬＣＤ６４のバックライトの明度のデフォルトを示すバックライト明度デフォルトデータ７４、ユーザが設定した着信音量を示すことのできる着信音量設定データ７５、ユーザが設定したバックライトの明度を示すことのできるバックライト明度設定データ７６、警告音ファイル７７、現在の回動角度および開閉角度を示す現在回動角度データ７９Ａおよび現在開閉角度データ７９Ｂ、許容角度データ７９Ｃ、着信音の候補となる複数の着信音ファイル７８、デフォルト着信音ファイル７８Ａ、ズームデフォルトデータ８０Ａおよびズーム設定データ８０が格納される。設定情報記憶部１０において、着信ファイル７８はヘッダにファイル名を有し、当該ファイル名に基づき検索されて読出される。
【００５４】
報知制御部１５は、着信音量設定データ７５に基づき、当該データで指示される音量となるようにスピーカ６Ａからの音の出力を制御する。
【００５５】
明度制御部２１はバックライトコントローラ６９をバックライト明度設定データ７６に基づき制御する。したがって、ＬＣＤ６４のバックライトは、その照明光レベルが、バックライト明度設定データ７６で指示される明るさとなるように駆動される。たとえば、バックライトがＲ（赤色）、Ｇ（緑色）、Ｂ（青色）の３色ＬＥＤ（Light Emitting Diode）からなる場合には、各ＬＥＤに供給される電流レベルが、バックライト明度設定データ７６が指示するレベルとなるように制御される。また、バックライトが１または複数の白色ＬＥＤからなる場合には、各白色ＬＥＤに供給される電流レベルが、バックライト明度設定データ７６が指示するレベルとなるように制御される。
【００５６】
現在回動角度データ７９Ａおよび現在開閉角度データ７９Ｂは、回転角度検出部１４および開閉検出部１３により出力される角度データを用いて、制御部５により定期的に更新される（上書きされる）ので、最新の角度を指示することが可能である。
【００５７】
着信音量デフォルトデータ７３、バックライト明度デフォルトデータ７４、許容角度データ７９Ｃ、デフォルト着信音ファイル７８Ａおよびズームデフォルトデータ８０Ａは携帯電話１００の工場出荷時などに設定情報記憶部１０に格納されるデータである。
【００５８】
着信音ファイル７８は、アンテナ１および通信部２を介して外部の所定のサイトからダウンロードしたメロディまたは楽曲のファイル、または工場出荷時などに格納されているメロディまたは楽曲のファイルである。なお、携帯電話１００の工場出荷時には、着信音量設定データ７５、バックライト明度設定データ７６およびズーム設定データ８０は着信音量デフォルトデータ７４、バックライト明度デフォルトデータ７４およびズームデフォルトデータ８０Ａと同じ値が設定されているものとする。
【００５９】
ユーザが操作部３を操作することで、着信音量設定データ７５、バックライト明度設定データ７６およびズーム設定データ８０を、着信音量デフォルトデータ７４、バックライト明度デフォルトデータ７４およびズームデフォルトデータ８０Ａにより上書き（更新）することができる。
【００６０】
図６（Ａ）には、電話番号テーブル７１が示されて、図６（Ｂ）には着信音テーブル７２が示される。電話番号テーブル７１は、１または複数のレコードＲＡを有する。各レコードＲＡは、電話番号データＲＡ１、開閉角度データＲＡ２および回動角度データＲＡ３を対応付けて有する。着信音テーブル７２は、１または複数のレコードＲＢを有する。各レコードＲＢは、着信音の種類ごとの着信音ファイル７８のファイル名ＲＢ１、開閉角度データＲＢ２および回動角度データＲＢ３を対応付けて含む。各レコードのデータは対応付けされて格納されていればよく、格納の形式はレコードを用いたものに限定されない。
【００６１】
（実施の形態１：角度表示機能）
上側ユニット１０２と下側ユニット１０１との開閉および回動の変位情報を表示する機能について説明する。
【００６２】
図７（Ａ）〜（Ｃ）には、表示制御部１６により表示部９に表示される開閉角度および回動角度を示す画面例が示される。表示部９のＬＣＤ６４の画面には開閉角度表示バー１０８および回動角度表示バー１０９が表示され、開閉角度表示バー１０８上では角度アイコン１１０を用いて上側ユニット１０２の下側ユニット１０１に対する現在の開閉角度が示される。回動角度表示バー１０９上では角度アイコン１１１を用いて上側ユニット１０２の下側ユニット１０１に対する回動角度が示される。開閉角度表示バー１０８は矩形の表示画面の長手方向の一方端に平行に開閉角度の棒状のスケール（０度〜１８０度）を一端に開閉角度の最大値（１８０度）および他端に最小値（０度）とともに表示し、回動角度表示バー１０９は矩形の表示画面の短手方向の一方端に平行に回動角度の棒状のスケール（０度〜１８０度）を一端に回動角度の最大値（１８０度）および他端に最小値（０度）とともに表示する。角度アイコン１１０は開閉角度表示バー１０８上において、開閉検出部１３により検出される現在の開閉角度に応じた位置に表示される。角度アイコン１１１は回動角度表示バー１０９上において、回転角度検出部１４により検出される現在の回動角度に応じた位置に表示される。図７（Ａ）〜（Ｃ）の角度表示の画像は、ＬＣＤ６４に常時表示されるようにしてもよく、または、操作部３のキー操作により表示と消去が所望に応じて切替えられてもよい。
【００６３】
図７（Ａ）において、開閉角度表示バー１０８上の角度アイコン１１０は０度を示し、回動角度表示バー１０９上の角度アイコン１１０は０度を示している。したがって、図７（Ａ）の画像は図３（Ａ）の標準状態において表示される。
【００６４】
図７（Ｂ）は図３（Ｂ）の状態における表示画面を示す。図７（Ｂ）において、表示画面の開閉角度表示バー１０８上の角度アイコン１１０は６０度を示し、回動角度表示バー１０９上の角度アイコン１１１は０度を示している。
【００６５】
図７（Ｃ）は図３（Ｃ）の状態における表示画面を示す。図７（Ｃ）において、開閉角度表示バー１０８上の角度アイコン１１０は６０度を示し、回動角度表示バー１０９上の角度アイコン１１１は３０度を示している。
【００６６】
ここでは、角度アイコン１１０と１１１のスケール上の位置を用いて角度を表示するようにしているが、それぞれの角度を数値表示してもよい。
【００６７】
図８は、上側ユニット１０２と下側ユニット１０１の相対姿勢の変動に連動して表示される画像に関連付けて、図１の制御部５の動作を示すフローチャートである。図８の処理フローチャートは、携帯電話１００の電源がＯＮされている期間は、定期的に繰り返し実行される。ここでは携帯電話１００の電源がＯＮされている状態においては常に開閉角度と回動角度の表示がされると想定し、設定情報記憶部１０には、現在回動角度データ７９Ａおよび現在開閉角度データ７９Ｂが制御部５により設定（更新）されていると想定する。なお、制御部５が現在回動角度データ７９Ａおよび現在開閉角度データ７９Ｂを定期的に更新する間隔よりも、表示制御部１６が図７（Ａ）〜図７（Ｃ）の画像の表示を定期的に更新する間隔の方が短いと想定する。
【００６８】
まず、表示制御部１６は開閉検出部１３と回転角度検出部１４により検出された現在の開閉角度と回動角度を入力して、設定情報記憶部１０に既に格納されている現在開閉角度データ７９Ｂおよび現在回動角度データ７９Ａが示す角度を読出す。そして入力した角度と読出した角度とを比較する（ステップＳ（以下、単にＳという）３、Ｓ９）。比較結果、開閉角度に関して（入力角度＞読出し角度）であれば（Ｓ３で‘開く’）、表示制御部１６は開閉角度表示バー１０８上において角度アイコン１１０の表示位置を、開閉角度の入力角度と読出し角度の差分に相当する分だけ角度が増加する方向に移動させる（Ｓ５）。比較結果、開閉角度に関して（入力角度＜読出し角度）であれば（Ｓ３で‘閉じる’）、表示制御部１６は開閉角度表示バー１０８上において角度アイコン１１０の表示位置を、開閉角度の入力角度と読出し角度の差分に相当する分だけ角度が減少する方向に移動させる（Ｓ７）。比較結果、開閉角度に関して（入力角度＝読出し角度）であれば（Ｓ３で‘変化なし’）、表示制御部１６は開閉角度表示バー１０８上において角度アイコン１１０の表示位置を変化させない、すなわち何ら処理を行なわず、次のＳ９に移行する。
【００６９】
比較結果、回動角度に関して（入力角度＞読出し角度）であれば（Ｓ９で‘時計回り’）、表示制御部１６は回動角度表示バー１０９上において角度アイコン１１１の表示位置を、回動角度の入力角度と読出し角度の差分に相当する分だけ角度が増加する方向に移動させる（Ｓ１１）。比較結果、回動角度に関して（入力角度＜読出し角度）であれば（Ｓ９で‘反時計回り’）、表示制御部１６は回動角度表示バー１０９上において角度アイコン１１１の表示位置を、回動角度の入力角度と読出し角度の差分に相当する分だけ角度が減少する方向に移動させる（Ｓ１３）。比較結果、回動角度に関して（入力角度＝読出し角度）であれば（Ｓ９で‘変化なし’）、表示制御部１６は回動角度表示バー１０９上において角度アイコン１１１の表示位置を変化させない、すなわち何ら処理を行なわず、次のＳ１５に移行する。
【００７０】
制御部５は電源キー３６により電源ＯＦＦ操作がされたかを判定する（Ｓ１５）。ＯＦＦ操作がされなければ（Ｓ１５でＮＯ）、処理はＳ３に戻されるが、ＯＦＦ操作される（Ｓ１５でＹＥＳ）と一連の処理は終了する。
【００７１】
なお、表示制御部１６は、角度の差分を算出して、その差分に基づく開閉角度表示バー１０８および回動角度表示バー１０９上の角度アイコン１１０と１１１の移動方向と移動距離は、所定の計算手順に従い算出すると想定する。
【００７２】
上述したように、携帯電話１００の状態において、ユーザが操作して、上側ユニット１０２を下側ユニット１０１に対してヒンジ１０５ａを中心に開く方向へ姿勢を変動させた場合、開閉角度表示バー１０８上の角度アイコン１１０が示す角度は増加する。逆に、上側ユニット１０２を下側ユニット１０１に対してヒンジ１０５ａを中心に閉じる方向へ姿勢を変動させた場合、開閉角度表示バー１０８上の角度アイコン１１０が示す角度は減少する。また、上側ユニット１０２を下側ユニット１０１に対してヒンジ１０５ｂを中心に時計回り方向へ回動させた場合、回動角度表示バー１０９上の角度アイコン１１１が示す角度は増加する。逆に、上側ユニット１０２を下側ユニット１０１に対してヒンジ１０５ｂを中心に反時計回り方向へ回動させた場合、回動角度表示バー１０９上の角度アイコン１１１が示す角度は減少する。
【００７３】
（実施の形態２：発信機能）
上側ユニット１０２と下側ユニット１０１との開閉および回動変位情報に基づき、その相対姿勢に対応した電話番号を用いて発信する機能について説明する。
【００７４】
まず、ユーザは所望の電話番号に対して、所望するように下側ユニット１０２と下側ユニット１０１との相対姿勢、すなわち開閉および回動の角度値を関連付けする。関連付けされた情報は、電話番号設定部１９により設定情報記憶部１０の電話番号テーブル７１に格納される。
【００７５】
その後、上側ユニット１０２と下側ユニット１０１が予め設定した上側ユニット１０２と下側ユニット１０１との開閉および回動の角度値にある相対姿勢をとった状態で、ユーザが操作部３の発信キー３７を操作すると、制御部５は設定情報記憶部１０の電話番号テーブル７１を当該開閉および回動の角度値に基づき検索して、対応の電話番号を読出して発信制御部１２に与えるので、発信制御部１２は与えられる電話番号を用いて発信動作する。これにより、ユーザは発信時には所望する相対姿勢をとるように操作することで、所望する電話番号を用いて発信することができる。
【００７６】
図９は、下側ユニット１０２と下側ユニット１０１の相対姿勢の変動に連動した電話番号発信機能に関して、図１の制御部５の動作例を示すフローチャートである。図９の処理フローチャートは、携帯電話１００の電源がＯＮされている期間は、定期的に繰り返し実行される。
【００７７】
図９を参照して、上側ユニット１０２と下側ユニット１０１の開閉または回動の操作をして、所望の開閉角度および回転角度とする（Ｓ１９）。所望の開閉角度または回動角度になったことは、ＬＣＤ６４に表示される角度アイコン１１０と１１１表示位置で確認することができる。
【００７８】
所望の角度（所望の相対姿勢）になったことを確認して、当該相対姿勢に対応して電話番号を登録しておきたいとユーザが希望した場合には、ユーザはモードキー３５を操作して携帯電話１００を電話番号設定モードに移行させる（Ｓ２１でＹＥＳ）。これにより、動作モード判定部１８は電話番号設定モードであることを判定して、電話番号設定部１９を起動する。そしてユーザが操作部３の数字キーを操作して所望する電話番号を入力して確定キーを操作すると（Ｓ２２）、電話番号設定部１９は現在の相対姿勢と入力した電話番号とを対応付けてレコードＲＡとして電話番号テーブル７１に格納する（Ｓ２３）。登録される現在の相対姿勢とは、開閉検出部１３と回転角度検出部１４から入力した現在の開閉角度および回動角度で示される。したがって、格納されるレコードＲＡには、入力した電話番号、現在の開閉角度および回動角度が、電話番号データＲＡ１、開閉角度データＲＡ２および回動角度データＲＡ３として対応付けされて格納される。
【００７９】
一方、ユーザはモードキー３５を操作して携帯電話１００を電話番号設定モードに移行させる操作ではなく、発信キー３７を操作すると（Ｓ２１でＮＯ、Ｓ２７）、制御部５は、開閉検出部１３と回転角度検出部１４から入力した現在の開閉角度および回動角度に基づき電話番号テーブル７１を検索して、当該開閉角度および回動角度に一致する角度を示す開閉角度データＲＡ２および回動角度データＲＡ３を格納しているレコードＲＡを読出すことができるか否かを判定する（Ｓ２９）。該当するレコードＲＡが電話番号テーブル７１に格納されておらず検索できなかった場合には（Ｓ２９でＮＯ）、処理は後述のＳ３５に移行する。
【００８０】
一方、該当するレコードＲＡが電話番号テーブル７１から検索できた場合には（Ｓ２９でＹＥＳ）、制御部５は検索した該当レコードＲＡから電話番号データＲＡ１を読出して、発信制御部１２に与えて発信を指示するので、発信制御部１２は、与えられる電話番号を用いて発信動作する（Ｓ３１）。これにより、通信部２とアンテナ１を介して当該電話番号の通信相手装置が呼出される。
【００８１】
発信して通話をし、通話が終了すると（Ｓ３３）、制御部５は電源キー３６により電源ＯＦＦ操作がされたかを判定する（Ｓ３５）。ＯＦＦ操作がされなければ（Ｓ３５でＮＯ）、処理はＳ１９に戻されるが、ＯＦＦ操作されると（Ｓ３５でＹＥＳ）一連の処理は終了する。
【００８２】
なお、ここでは、発信キー３７が操作されると電話番号テーブル７１に格納された電話番号データＲＡ１が検索されて、該当するものが読み出しできなかった場合には、処理を終了するようにしているが、これに限定されない。たとえば、電話番号テーブル７１から該当する電話番号データＲＡ１の読出しができなかった場合には、ユーザに対して操作部３から、発信に用いる相手先の電話番号を入力してもらうように促してもよい。
【００８３】
このように、ユーザは任意の電話番号（所望の電話番号）に対して、任意の（所望の）上側ユニット１０２と下側ユニット１０１との開閉および回動角度値を関連付けるための操作をして、関連付けされた情報を電話番号テーブル７０に予め格納しておけば、発信時には上側ユニット１０２と下側ユニット１０１を操作して所望の開閉および回動角度となった状態で発信キー３７を操作するだけで、所望する電話番号を用いて発信動作することができる。
【００８４】
（実施の形態３：着信音の出力機能）
上側ユニット１０２と下側ユニット１０１との相対姿勢に係る開閉角度および回動角度の変位情報に基づきその変位位置に対応した種類の着信音を鳴らす機能について説明する。図１０は、上側ユニット１０２と下側ユニット１０１の相対姿勢に係る開閉角度および回動角度の変動に連動して着信（電話着信、電子メールの着信）を報知する音の種類を選択して、選択した種類の着信音を鳴動させる機能に関して、制御部５の動作を示すフローチャートである。図１０の処理フローチャートは、携帯電話１００の電源がＯＮされている期間は、定期的に繰り返し実行される。
【００８５】
まず、ユーザは所望の相対姿勢（所望の開閉角度および回転角度）となるように上側ユニット１０２および下側ユニット１０１を操作するので、開閉検出部１３および回転角度検出部１４は現在の開閉角度および回動角度を検出する（Ｓ３７）。検出された角度は図７（Ａ）〜（Ｃ）に示すように表示されるので、ユーザは所望の角度（相対姿勢）になったことを容易に確認することができる。
【００８６】
ユーザは当該所望の相対姿勢について所望の着信音を対応付けたい場合には、モードキー３５を操作して着信音設定モードに移行させる。動作モード判定部１８は、着信音設定モードに切替えられたことを判定すると（Ｓ３９でＹＥＳ）、着信音設定部２０を起動するが、切替えされないと判定すると（Ｓ３９でＮＯ）、処理は後述のＳ４３に移行する。
【００８７】
着信音設定モードに移行すると、ユーザは着信音のファイルを選択的に指定する（Ｓ４０）。具体的には、着信音設定部２０は、着信音ファイル７８のファイル名を設定情報記憶部１０から読出し、表示部９に一覧表示するので、ユーザは表示された一覧から所望のファイル名を操作部３のキー操作をして選択的に指定して入力する。
【００８８】
着信音設定部２０は、指定された着信音ファイル７８の名称と、Ｓ３７で検出されている現在の開閉角度および回動角度を、着信音ファイル名ＲＢ１、開閉角度データＲＢ２および回動角度データＲＢ３として対応付けてレコードＲＢに格納して、当該レコードＲＢを着信音テーブル７２に格納する（Ｓ４１）。
【００８９】
その後、制御部５は、アンテナ１および通信部２を経由した着信の検出が、着信制御部１１によりなされたか否かを判定する（Ｓ４３）。着信が検出されないと判定すると（Ｓ４３でＮＯ）、処理は後述するＳ５７に移行する。
【００９０】
一方、着信が検出されたと判定されると（Ｓ４３でＹＥＳ）、制御部５は、開閉検出部１３と回転角度検出部１４から入力した現在の開閉角度および回動角度に基づき着信音テーブル７２を検索して、当該開閉角度および回動角度に一致する角度を示す開閉角度データＲＢ２および回動角度データＲＢ３を格納しているレコードＲＢを読出すことができるか否かを判定する（Ｓ４７）。該当するレコードＲＢが着信音テーブル７２から検索できた場合には（Ｓ４７でＹＥＳ）、制御部５は検索できたレコードＲＢの着信音ファイル名ＲＢ１を読出し、読出した着信音ファイル名ＲＢ１に基づき設定情報記憶部１０を検索して該当する着信音ファイル７８を読出し、報知制御部１５に与えて報知動作するように指示するので、報知制御部１５は与えられた着信音ファイル７８の音データに基づきスピーカ６Ａから音を出力する（Ｓ４９）。その後、処理は後述のＳ５３に移行する。
【００９１】
一方、該当するレコードＲＢが着信音テーブル７２に格納されておらず検索できなかった場合には（Ｓ４７でＮＯ）、設定情報記憶部１０からデフォルト着信音ファイル７８Ａを読出し、報知制御部１５に与えて報知動作するように指示するので、報知制御部１５は与えられたデフォルト着信音ファイル７８Ａの音データに基づきスピーカ６Ａから音を出力する（Ｓ５１）。
【００９２】
スピーカ６Ａから鳴動する着信音を確認して、着信に対する応答のためにユーザが操作部３の発信キー３７を操作して通信を開始する（Ｓ５３）。その後、通信が終了したことが通話部２により検出されて、制御部５に通知されると（Ｓ５５）、制御部５は電源キー３６により電源ＯＦＦ操作がされたかを判定する（Ｓ５７）。ＯＦＦ操作がされなければ（Ｓ５７でＮＯ）、処理はＳ３７に戻されるが、ＯＦＦ操作されると（Ｓ５７でＹＥＳ）一連の処理は終了する。
【００９３】
このように、ユーザは任意の着信音（所望の着信音）に対して、任意の（所望の）上側ユニット１０２と下側ユニット１０１との開閉および回動角度値を関連付けるための操作をして、関連付けされた情報を着信音テーブル７２に予め格納しておけば、着信時には、その時の上側ユニット１０２と下側ユニット１０１の開閉および回動角度で鳴動することが所望されている音により着信が報知される。
【００９４】
（実施の形態４：着信音量の設定機能）
上側ユニット１０２と下側ユニット１０１との回動角度の変位情報に基づき、その変位位置に対応した着信音量を設定する機能について説明する。図１１は、上側ユニット１０２と下側ユニット１０１の相対姿勢の変動に連動した着信音量制御のためのフローチャートである。図１１のフローチャートは、ユーザはモードキー３５を操作して、着信音量設定モードに切替えされたことが動作モード判定部１８により検出されると、制御部５は着信音量設定モードに移行して、以下の処理を実行する。
【００９５】
まず、制御部５は、回転角度検出部１４により検出された現在の回動角度を入力して、設定情報記憶部１０に既に格納されている現在回動角度データ７９Ａが示す回動角度を読出す。そして入力した角度と読出した角度とを比較する（Ｓ６１）。比較結果、回動角度に関して（入力角度＞読出し角度）であれば（Ｓ６１で‘時計回り’）、制御部５は設定情報記憶部１０の着信音量設定データ７５を、着信音量が増加するような値のデータに更新し（Ｓ６３）、後述のＳ６７の処理に移行する。比較結果、回動角度に関して（入力角度＜読出し角度）であれば（Ｓ６１で‘反時計回り’）、制御部５は設定情報記憶部１０の着信音量設定データ７５を、着信音量が減少するような値のデータに更新し（Ｓ６５）、後述のＳ６７の処理に移行する。比較結果、回動角度に関して（入力角度＝読出し角度）であれば（Ｓ６１で‘変化なし’）、制御部５は、何ら処理を行なわず、すなわち着信音量設定データ７５の更新はされずに、処理はＳ６７に移行する。
【００９６】
Ｓ６７においては、制御部５は電源キー３６により電源ＯＦＦ操作がされたかを判定する。ＯＦＦ操作がされなければ（Ｓ６７でＮＯ）、処理はＳ６１に戻されるが、ＯＦＦ操作される（Ｓ６７でＹＥＳ）と一連の処理は終了する。
【００９７】
着信が検出された報知制御部１５によりスピーカ６Ａを介して着信音が出力されるとき、報知制御部１５は、設定情報記憶部１０から読出した着信音量設定データ７５に基づく音量の着信音を出力するようにスピーカ６Ａを制御する。したがって、ユーザは着信音量を上側ユニット１０２と下側ユニット１０１に相対姿勢を調整して設定（切替え）することができる。
【００９８】
（実施の形態５：ズーム機能）
上側ユニット１０２と下側ユニット１０１との開閉および回動変位情報に連動させて、携帯電話１００のカメラ８のズーム機能を制御する場合について説明する。
【００９９】
図１２は、携帯電話１００におけるズーム機能を制御するためのブロック図である。図１２を参照して、携帯電話１００では、ズーム機能を制御するために、カメラ８はレンズ部６０、撮像素子であるＣＣＤ（Charge Coupled Device）４０およびＤＳＰ（Digital Signal Processor）４１を含む。レンズ部６０は、被写体を撮影するための光学系に含まれる変倍レンズ群５０、変倍レンズ群５０を駆動して移動させるためのレンズ駆動モータ５１、およびレンズ駆動モータ５１に対しモータの回転を制御するためのレンズ駆動回路５２を有する。
【０１００】
また、ＲＡＭ６３は、撮影してＤＳＰ４１から出力された画像データを格納して（蓄えて）おくための画像メモリ４４、一時的に画像データなどの各種データを蓄えるための一時メモリ４５、および画像データを拡大処理するために用いられる拡大用メモリ４６を有する。携帯電話１００は、ＬＣＤ６４に関連してＬＣＤ６４に表示するためのデータを蓄える表示用メモリ４２を有する。
【０１０１】
また、制御部５は、変倍レンズ群５０を用いて光学ズームを機能させるための光学ズーム処理部４７、一時メモリ４５および拡大用メモリ４６を用いてデジタル方式により電子的にズーム処理するためのデジタルズーム処理部４８、および光学ズームとデジタルズームを混合して機能させるための混合ズーム処理部４９を備える。これら処理部４７〜４９によりズーム制御部２２に対応する。処理部４７〜４９の手順についての詳細は後述する。
【０１０２】
被写体を撮影するとき、すなわちモードキー３５が操作されて撮影モードが指定されると動作モード判定部１８は撮影モードであることを判定して、カメラ８を起動する。起動したカメラ８においては、光学系を介してＣＣＤ４０の受光面に結像した被写体からの反射光による像はＣＣＤ４０から画像信号として読出されて、読出された画像信号はＤＳＰ４１においてデジタル処理可能なように処理されて画像データとして出力される。撮影に並行して出力される画像データは表示可能なように表示用メモリ４２に格納されて、ＬＣＤ６４には表示用メモリ４２のデータに基づき画像が表示される。したがって、撮影時に被写体を確認するファインダとしてＬＣＤ６４の表示画面を利用することができる。これにより、最適のアングルまたは撮影倍率になったことをＬＣＤ６４の表示画像で確認したときに、操作部３の図示しないシャッタキーを操作すると、そのときカメラ８から出力された画像データは画像メモリ４４に格納される。
【０１０３】
図１３には、図１２の変倍レンズ群５０を含む光学系とその周辺部分の概略構成が示される。図１３を参照して、光学系は被写体からの反射光が入射する順に配置された、位置が固定の１群のレンズ５０１、自在に移動する変倍レンズ群５０に対応の２群のレンズ５０２および３群のレンズ５０３を有し、これらレンズ群を通過した被写体からの反射光による被写体像はＣＣＤ４０の受光面に結像するので、結像した被写体像の信号はＣＣＤ４０から読出されてＤＳＰ４１に与えられて、ＤＳＰ４１において所定処理されて画像データとして出力される。光学系に入射する光の光軸は１群〜３群のレンズ５０１〜５０３の各レンズの中心を通過する。
【０１０４】
１群〜３群のレンズ５０１〜５０３に関連してホームポジションＨＰには図示されないフォトセンサが設けられている。フォトセンサは、レンズの位置を検出して検出信号を制御部５に出力する。この検出信号に基づき制御部５のズーム制御部２２が何らかの要因でレンズの位置がずれたことを検出すると、基準位置（ホームポジションＨＰ）に基づき次回の撮影動作時に所定の基準の位置にレンズを戻すような制御信号をレンズ駆動回路５２に出力する。レンズ駆動回路５２は与えられた制御信号に従いレンズ駆動モータ５１の回転（回転の量、速度および方向など）を制御する。
【０１０５】
レンズ駆動回路５２から与えられた制御信号に従いモータ５１は回転駆動されるので、モータ５１の回転に連動して２群のレンズ５０２または３群のレンズ５０３は図示されない駆動軸を介して１群のレンズ５０１とＣＣＤ４０の受光面間を移動する。ここでは説明を簡単にするために２群のレンズ５０２のみが移動し３群のレンズ５０３は移動しないと想定する。
【０１０６】
本実施の形態では、２群のレンズ５０２自体はレンズ駆動モータ５１の回転に連動して駆動軸を介してリニアに移動する。ここでは、機構上の制限からで、２群のレンズ５０２は倍率が１倍と２倍の位置で変更することができる。たとえば、光学１倍モードから光学２倍モードに拡大（望遠）ズームする際の動作について説明する。光学ズーム処理部４７はズーム設定データ８０により、そのとき指定されている倍率に基づき拡大ズームを行なう場合には、レンズ駆動回路５２に対してモータ５１を２群のレンズ５０２が１群のレンズ５０１方向へ光学１倍から光学２倍の倍率になる位置まで移動するように駆動するための制御信号を送る。また、そのとき指定されている倍率に基づき光学２倍モードから光学１倍モードに広角ズームする際には、光学ズーム処理部４７は広角ズームを行なうための命令を受理すると、レンズ駆動回路５２に対してモータ５１を２群のレンズ５０２が３群のレンズ５０３の方向へ光学２倍から光学１倍の倍率になるまで移動するように駆動するための制御信号を送る。
【０１０７】
次に、デジタルズーム処理部４８の手順について説明する。デジタルズーム処理部４８によるデジタルズームにおいては、ＣＣＤ４０の受光面中央部分で結像した像の画像データを、設定情報記憶部１０から読み出したズーム設定データ８０により指定されている倍率に基づき電子的なデータ処理により拡大、すなわち補間処理を行なうことによって広角／望遠という撮影倍率を切換えることができる。デジタルズームのためのデータ処理手順を、簡単に説明する。
【０１０８】
まず、デジタルズーム処理部４８は、ＣＣＤ４０の受光面に結像した画像の中央部分の部分画像データをトリミングして読出して一時メモリ４５に格納し、一時メモリ４５に格納された部分画像データを読出し標準の画像の大きさと同じ大きさとなるように拡大用メモリ４６を用いて引伸ばしのデータ処理を施す。画像の引伸ばしでは、ズーム設定データ８０により指示される倍率に従い、たとえば一時メモリ４５から同一画素のデータを複数回読出し、隣接画素を埋めるように拡大用メモリ４６に格納する。拡大用メモリ４６に格納された画像データは読出されて表示用メモリ４２に格納されるので、ＬＣＤ６４にはデジタルズーム処理された画像が表示される。
【０１０９】
本実施の形態では、混合ズーム処理部４９により混合ズームが行なわれる。混合ズームは、光学ズームとデジタルズームを併用することで実現可能な倍率の種類を増やすことができる。とえば、光学１倍のズームを行ない、さらにデジタルズームで１．２倍の拡大を行なうことにより、ズーム設定データ８０により指示される１．２倍の画像を表示させることができる。また、光学２倍とデジタル１．２２倍を併用することにより、ズーム設定データ８０により指示される２．４４倍などのより細かい倍率を表現することが可能となる。
【０１１０】
図１４のフローチャートは、撮影モードに移行してカメラ８が起動すると実行される。なお、カメラ８の起動時は、ズーム制御部２２の光学ズーム処理部４７のみが機能しており、光学ズーム処理部４７はズームデフォルトデータ８０Ａを読出し、読出したズームデフォルトデータ８０Ａに従う倍率（たとえば、光学１．０倍）となるように、レンズ駆動回路５２およびレンズ駆動モータ５１を制御して、変倍レンズ部５０のレンズの位置を調整する。
【０１１１】
まず、撮影モードに移行すると制御部５は、回転角度検出部１４により検出された現在の回動角度を入力して、設定情報記憶部１０に既に格納されている現在回動角度データ７９Ａが示す回動角度を読出す。そして入力した角度と読出した角度とを比較する（Ｓ７１）。比較結果、回動角度に関して（入力角度＞読出し角度）であれば（Ｓ７１で‘時計回り’）、制御部５は設定情報記憶部１０のズーム設定データ８０を、倍率が増加（ズームイン）するような値のデータに更新し、ズームインの制御が行なわれて（Ｓ７３）、後述のＳ７７の処理に移行する。比較結果、回動角度に関して（入力角度＜読出し角度）であれば（Ｓ７１で‘反時計回り’）、制御部５は設定情報記憶部１０のズーム設定データ８０を、倍率が減少（ズームアウト）するような値のデータに更新、ズームアウトが行なわれて（Ｓ７５）、後述のＳ７７の処理に移行する。比較結果、回動角度に関して（入力角度＝読出し角度）であれば（Ｓ７１で‘変化なし’）、制御部５では、何ら処理を行なわず、すなわちズーム設定データ８０の更新はされずに、また、ズームインもズームアウトも行なわれずに、処理はＳ７７に移行する。
【０１１２】
Ｓ７７においては、制御部５はモードキー３５が操作されて撮影モードが終了したかを判定する。終了操作がされなければ（Ｓ７７でＮＯ）、処理はＳ７１に戻されるが、撮影モードの終了操作がされると（Ｓ７７でＹＥＳ）一連の処理は終了する。なお、撮影モードが終了すると、ズーム設定データ８０は、ズームデフォルトデータ８０Ａを用いて上書き（更新）される。
【０１１３】
Ｓ７３のズームインでは、たとえば、入力角度と読出し角度の差分が３０度変わるごとに、０．２倍ずつ倍率が増加し、Ｓ７５のズームアウトでは、同様に、たとえば３０度変わるごとに、０．２倍ずつ倍率が減少するように、ズーム設定データ８０が更新される。なお、倍率の最大値、および最小値は予め設定されており、この最大値〜最小値の範囲で倍率が更新されるものとする。
【０１１４】
ここでは、ズームインおよびズームアウトの処理は、混合ズーム処理部４９で行なうとしているが、光学ズーム処理部４７のみにより行なう、またはデジタルズーム処理部４８のみにより行なうとしても良い。
【０１１５】
（実施の形態６：バックライト明るさの制御機能）
上側ユニット１０２と下側ユニット１０１との開閉および回動変位情報を、上側ユニット１０２が有するＬＣＤ６４のバックライト明度に連動させる機能について説明する。
【０１１６】
図１５は、上側ユニット１０２と下側ユニット１０１の相対姿勢の変動に連動したバックライトの明るさの制御に関して、制御部５の動作例を示すフローチャートである。
【０１１７】
まず、ユーザはモードキー３５を操作してバックライト調整モードに切替えると、バックライト調整モードに移行する。動作モード判定部１８はバックライト調整モードに移行したことを検出すると、明度制御部２１を起動する。
【０１１８】
明度制御部２１は開閉検出部１３により検出された現在の開閉角度を入力して、設定情報記憶部１０に既に格納されている現在開閉角度データ７９Ｂが示す開閉角度を読出す。そして入力した角度と読出した角度とを比較する（Ｓ８１）。比較結果、開閉角度に関して（入力角度＞読出し角度）であれば（Ｓ８１で‘開く’）、明度制御部２１は（入力角度−読出し角度）の差分を算出して、算出した差分に従い、設定情報記憶部１０のバックライト明度設定データ７６の示す明度を増加するように更新する。そして、更新後のバックライト明度設定データ７６に従いバックライトコントローラ６９を介してバックライトの明るさを制御して、処理は後述のＳ８７に移行する。これにより、ＬＣＤ６４の標示画面は明るくなる。
【０１１９】
比較結果、開閉角度に関して（入力角度＜読出し角度）であれば（Ｓ８５で‘閉じる’）、明度制御部２１は（入力角度−読出し角度）の差分を算出して、算出した差分に従い、設定情報記憶部１０のバックライト明度設定データ７６の示す明度を減少するように更新する。そして、更新後のバックライト明度設定データ７６に従いバックライトコントローラ６９を介してバックライトの明るさを制御して、処理は後述のＳ８７に移行する。これによりＬＣＤ６４の表示画面は暗くなる。
【０１２０】
比較結果、開閉角度に関して（入力角度＝読出し角度）であれば（Ｓ８５で‘変化なし’）、明度制御部２１による処理は何らされずに、処理はＳ６７に移行する。したがって、ＬＣＤ６７の画面の明るさは変わらない。
【０１２１】
Ｓ８７では、制御部５は電源キー３６により電源ＯＦＦ操作がされたかを判定する。ＯＦＦ操作がされなければ（Ｓ８７でＮＯ）、処理はＳ８１に戻されるが、ＯＦＦ操作される（Ｓ８７でＹＥＳ）と一連の処理は終了する。
【０１２２】
このように閉じる方向に操作すると、すなわち図３（Ａ）→図３（Ｂ）→図３（Ｅ）というように、使用中の開いた状態から、使用が終了し閉じた状態（未使用状態）となるときには、徐々にＬＣＤ６４の画面は暗くなるから、使用の態様に従い消費電力を低減できる。
【０１２３】
（実施の形態７：警告報知の機能）
上側ユニット１０２と下側ユニット１０１との開閉および回動操作により、上側ユニット１０２と下側ユニット１０１との開閉および回動角度が、設定情報記憶部１０の許容角度データ７９Ｃで指示される許容範囲外となる場合には、スピーカ６Ａから警告音を鳴らす機能について図１６のフローチャートを参照して説明する。
【０１２４】
ここでは携帯電話１００の電源がＯＮされている状態においては図１６の手順に従い許容範囲を超える開閉角度または回動角度にまで操作されると、携帯電話１００の損傷を防止するために警告音が鳴る。当該処理は携帯電話１００の電源がＯＮされている間は定期的に繰り返し実行される。
【０１２５】
まず、警告制御部２３は、開閉検出部１３と回転角度検出部１４により検出された現在の開閉角度と回動角度を入力して、設定情報記憶部１０に既に格納されている現在回動角度データ７９Ａと現在開閉角度データ７９Ｂが示す現在の開閉角度と回動角度とを読出して入力した角度と読出した角度とを比較する（Ｓ９１、Ｓ９７）。
【０１２６】
比較結果、開閉角度に関して（入力角度＞読出し角度）であれば（Ｓ９１で‘開く’）、警告制御部２３は、設定情報記憶部１０に既に格納されている許容角度データ７９Ｃが示す許容される開閉角度（たとえば、１８０度）を読出して、両者を比較して、比較結果に基づき現在の開閉角度が許容される開閉角度を超えるか否かを、すなわち入力角度は１８０度より大きい角度であるか否かを判定する（Ｓ９３）。
【０１２７】
許容される角度を超えると判定されると（Ｓ９３でＹＥＳ）、警告制御部２３は、設定情報記憶部１０から警告音ファイル７７を読出し、報知制御部１５に与えるとともに、警告音を出力するように指示するので、報知制御部１５は、与えられた警告音ファイル７７のデータに基づきスピーカ６Ａから警告音を出力させる（Ｓ９５）。その後、処理はＳ９１に戻る。
【０１２８】
一方、開閉角度に関して（入力角度＞読出し角度）でなければ、すなわち閉じる操作または操作がされていない場合には（Ｓ９１で‘閉じる’または‘変化なし’）、または許容される角度を超えていないと判定されると（Ｓ９３でＮＯ）、処理はＳ９７に移行する。
【０１２９】
回動角度に関して（入力角度＞読出し角度）であれば（Ｓ９７で‘時計回り’）、警告制御部２３は、入力回動角度が設定情報記憶部１０から読出した許容角度データ７９Ｃが示す回動角度の上限角度（たとえば、１８０度）を超えるか否かを判定する（Ｓ１０３）。超えると判定される、すなわち入力した回動角度が１８０度よりも大きいと判定されると（Ｓ１０３でＹＥＳ）、上述のＳ９５の手順と同様にして警告音が出力されて（Ｓ１０５）、処理はＳ９１に戻る。
【０１３０】
回動角度に関して（入力角度＜読出し角度）であれば（Ｓ９７で‘反時計回り’）、警告制御部２３は、入力した回動角度が設定情報記憶部１０から読出した許容角度データ７９Ｃが示す回動角度の下限角度（たとえば、０度）をさらに下まわるか否かを判定する（Ｓ９９）。入力した回動角度が０度未満と判定されると（Ｓ９３でＹＥＳ）、上述のＳ９５の手順と同様にして警告音が出力されて（Ｓ１０５）、処理はＳ９１に戻る。
【０１３１】
Ｓ９７で回動角度が変化していない、またはＳ９９で回動角度が下限角度（０度）以上であると判定される、またはＳ１０３で回動角度が上限角度（１８０度）を超えないと判定されると、処理はＳ１０７に移行する。
【０１３２】
Ｓ１０７では、制御部５は電源キー３６により電源ＯＦＦ操作がされたかを判定する。ＯＦＦ操作がされなければ（Ｓ１０７でＮＯ）、処理はＳ９１に戻されるが、ＯＦＦ操作されると（Ｓ１０７でＹＥＳ）、一連の処理は終了する。
【０１３３】
本実施の形態では、上側ユニット１０２と下側ユニット１０１が２軸ヒンジを介して操作される場合に、過度の角度になるまで開閉操作または回動操作がされた場合には、警告音が出力されるので、機器が無理な姿勢をとるために損傷することを防止できる。
【０１３４】
以上説明したように各実施の形態では、上面および下面のいずれかに表示画面を持つ下側ユニット１０２と、上面および下面のいずれかに操作面を持つ下側ユニット１０１とが開閉および回動自在に結合された折り畳み型携帯電話１００において、下側ユニット１０２と下側ユニット１０１との相対姿勢の変動を検出し、検出結果をＬＣＤ６４の画面に表示することでユーザに相対姿勢を角度で明示できるだけでなく、検出した角度が示す相対姿勢を応用した各種機能（またはアプリケーションプログラム）の実行が可能となる。
【０１３５】
なお、各実施の形態では、携帯電話１００は、複数の筐体（ユニット）を備えて折り畳み可能としているが、単一の筐体からなる、いわゆるフラットタイプであってもよい。その場合には、地磁気センサを備えて、地面に対する筐体の傾きの角度を、地磁気センサが検出する地磁気のレベルに基づき検出する。または、筐体の地面に対してとるある相対姿勢を標準状態として、標準状態からの相対姿勢の変位（傾きの角度）を検出する。これら検出した筐体の傾きの角度（相対姿勢の変位）を、表示部に表示するとともに、傾き角度（相対姿勢の変位）に対応した電話番号を用いた発信、傾き角度（相対姿勢の変位）に対応した着信音の報知、傾き角度（相対姿勢の変位）に対応したズーム倍率によるズーム機能の制御、傾き角度（相対姿勢の変位）に対応したバックライトの明るさ調整、着信音の調整などが行なわれるとしてもよい。
【０１３６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１３７】
【図１】各実施の形態に係る携帯電話の機能構成図である。
【図２】各実施の形態に係る携帯電話のハードウェア構成図である。
【図３】（Ａ）〜（Ｅ）は、携帯電話の外観を、筐体の開閉状態および回動状態と関連して示す図である。
【図４】携帯電話の開閉角度を説明する図である。
【図５】設定情報記憶部の内容例を示す図である。
【図６】（Ａ）と（Ｂ）は電話番号テーブルと着信音テーブルを示す図である。
【図７】（Ａ）〜（Ｃ）は、開閉角度および回動角度の画面表示例を示す図である。
【図８】携帯電話の相対姿勢の変動に連動した画像を表示するためのフローチャートである。
【図９】携帯電話の相対姿勢の変動に連動した電話番号発信機能のためのフローチャートである。
【図１０】携帯電話の相対姿勢の変動に連動した種類の着信音を出力するためのフローチャートである。
【図１１】携帯電話の相対姿勢の変動に連動した着信音量制御のためのフローチャートである。
【図１２】携帯電話におけるズーム機能を制御するためのブロック図である。
【図１３】変倍レンズ群を含む光学系とその周辺部分の概略構成図である。
【図１４】携帯電話の相対姿勢の変動に連動したズーム制御のためのフローチャートである。
【図１５】携帯電話の相対姿勢の変動に連動したバックライトの明度制御のためのフローチャートである。
【図１６】携帯電話の相対姿勢の変動に連動した警告報知のためのフローチャートである。
【符号の説明】
【０１３８】
３  操作部、５  制御部、９  表示部、１０  設定情報記憶部、１１  着信制御部、１２  発信制御部、１３  開閉検出部、１４  回転角度検出部、１５  報知制御部、１６  表示制御部、１７  カメラ制御部、１８  動作モード判定部、１９  電話番号設定部、２０  着信音設定部、２１  明度制御部、２２  ズーム制御部、２３  警告制御部、１００  携帯電話。
【図１】
2007129317.tif 000003
【図２】
2007129317.tif 000004
【図３】
2007129317.tif 000005
【図４】
2007129317.tif 000006
【図５】
2007129317.tif 000007
【図６】
2007129317.tif 000008
【図７】
2007129317.tif 000009
【図８】
2007129317.tif 000010
【図９】
2007129317.tif 000011
【図１０】
2007129317.tif 000012
【図１１】
2007129317.tif 000013
【図１２】
2007129317.tif 000014
【図１３】
2007129317.tif 000015
【図１４】
2007129317.tif 000016
【図１５】
2007129317.tif 000017
【図１６】
2007129317.tif 000018